(57)【特許請求の範囲】
【請求項１】
センタ局から出力された信号及びクロックを光伝送網を介して基地局へ伝送するデータ伝送システムであって、
第１の信号を第１のクロックで送信するセンタ局と、
前記センタ局から送信された前記第１の信号を第２の信号に変換する第１の変換部と、
前記第１の信号から、該第１の信号のクロックである第１のクロックを抽出するクロック抽出部と、
抽出された前記第１のクロックに基づき、該第１のクロックに対して所定の分周比を有する第１の分周クロックを生成する第１のパルス生成部と、
前記第２の信号のクロックである第２のクロックを生成するクロック生成部と、
生成された前記第２のクロックに基づき、該第２のクロックに対して所定の分周比を有する第２の分周クロックを生成する第２のパルス生成部と、
前記第１の分周クロック及び前記第２の分周クロックの位相を比較し、位相差情報を生成する位相比較部と、
前記位相差情報及び前記第２の分周クロックを前記第２の信号に付加し、該第２の信号を前記第２のクロックで光伝送網を介して外部に送信する第１の送信部とを備える第１の光伝送装置と、
前記第１の光伝送装置から送信された前記第２の信号を前記第１の信号に変換する第２の変換部と、
前記第２の信号から、前記第２のクロック、前記位相差情報及び前記第２の分周クロックを抽出する抽出部と、
抽出された前記第２のクロック、前記位相差情報及び前記第２の分周クロックに基づき、前記第１の分周クロックを再生するパルス再生部と、
再生された前記第１の分周クロックに基づき、前記第１のクロックを再生するクロック再生部と、
前記第１の信号を前記第１のクロックで外部に送信する第２の送信部とを備える第２の光伝送装置と、
前記第２の光伝送装置から送信された前記第１の信号を受信する基地局とを備えることを特徴とするデータ伝送システム。
【請求項２】
前記位相差情報は、前記第１の分周クロックの所定のパルスと前記第２の分周クロックの所定のパルスとの間の前記第２のクロックのクロック数をカウントした値であることを特徴とする請求項１に記載のデータ伝送システム。
【請求項３】
前記第１のパルス生成部は、前記第１のクロックの所定クロック周期毎にパルスを発生させることにより前記第１の分周クロックを生成し、
前記第２のパルス生成部は、前記第２のクロックの所定クロック周期毎にパルスを発生させることにより前記第２の分周クロックを生成することを特徴とする請求項１又は２に記載のデータ伝送システム。
【請求項４】
前記パルス再生部は、前記第２の分周クロックの所定のパルスが出力されたタイミングから、前記位相差情報が示す値だけ前記第２のクロックをカウントしたタイミングでパルスを発生させることにより、前記第１の分周クロックを再生することを特徴とする請求項１、２又は３に記載のデータ伝送システム。
【請求項５】
前記クロック再生部は、前記第１の分周クロックを基準位相として、パルス間に所定数のクロックを発生させることにより前記第１のクロックを再生することを特徴とする請求項１乃至４のいずれかに記載のデータ伝送システム。
【請求項６】
前記クロック再生部は、ＰＬＬを駆動させることにより、前記パルス間に所定数のクロックを発生させることを特徴とする請求項５に記載のデータ伝送システム。
【請求項７】
前記第１の光伝送装置は、複数の第１の信号が入力され、
前記第１の変換部は、入力された前記複数の第１の信号を多重化して前記第２の信号に変換することを特徴とする請求項１乃至６に記載のデータ伝送システム。
【請求項８】
外部から送信された第１の信号を第２の信号に変換する変換部と、
前記第１の信号から、該第１の信号のクロックである第１のクロックを抽出するクロック抽出部と、
抽出された前記第１のクロックに基づき、該第１のクロックに対して所定の分周比を有する第１の分周クロックを生成する第１のパルス生成部と、
前記第２の信号のクロックである第２のクロックを生成するクロック生成部と、
生成された前記第２のクロックに基づき、該第２のクロックに対して所定の分周比を有する第２の分周クロックを生成する第２のパルス生成部と、
前記第１の分周クロック及び前記第２の分周クロックの位相を比較し、位相差情報を生成する位相比較部と、
前記位相差情報及び前記第２の分周クロックを前記第２の信号に付加し、該第２の信号を前記第２のクロックで光伝送網を介して外部に送信する送信部とを備えることを特徴とする光伝送装置。
【請求項９】
外部から光伝送網を介して送信された第２の信号を第１の信号に変換する変換部と、
前記第２の信号から、該第２の信号のクロックである第２のクロックと、該第２のクロックに対して所定の分周比を有する第２の分周クロックと、該第２の分周クロック及び前記第１の信号のクロックである第１のクロックに対して所定の分周比を有する第１の分周クロックの位相を比較した結果を示す位相差情報とを抽出する抽出部と、
抽出された前記第２のクロック、前記位相差情報及び前記第２の分周クロックに基づき、前記第１の分周クロックを再生するパルス再生部と、
再生された前記第１の分周クロックに基づき、前記第１のクロックを再生するクロック再生部と、
前記第１の信号を前記第１のクロックで外部に送信する送信部とを備えることを特徴とする光伝送装置。
【発明の詳細な説明】
【技術分野】
【０００１】
本発明は、データ伝送システム及び光伝送装置に関し、特に、光伝送網を介してデータを伝送するシステム及び装置に関する。
【背景技術】
【０００２】
従来、ギガビットイーサネット（イーサネットは登録商標）信号は、ＩＴＵ−Ｔ（International Telecommunication Union-Telecommunication Standardization Sector）勧告Ｇ．７０４１で標準化されたＧＦＰ（Generic Framing Procedure）信号にマッピングし、ＧＦＰフレームを多重化して光伝送網の標準規格であるＯＴＮ（Optical Transport Network）／ＳＯＮＥＴ（Synchronous Optical NETwork）／ＳＤＨ（Synchronous Digital Hierarchy）信号にマッピングして光伝送網を介して伝送することで、ネットワークを効率的に使用している。
【０００３】
例えば、特許文献１には、イーサネット回線から受信した信号をＧＦＰ信号にマッピングし、このＧＦＰ信号をさらにＳＤＨ信号にマッピングしてＳＤＨ回線へ送信する通信装置が記載されている。
【先行技術文献】
【特許文献】
【０００４】
【特許文献１】特開２００８−２３６６９１号公報
【発明の概要】
【発明が解決しようとする課題】
【０００５】
また、最近では、イーサネット網がＳＯＮＥＴ／ＳＤＨ網と統合して使用されるに伴い、イーサネット網に対して高精度クロックを要求するアプリケーションが開発されている。これにより、ＩＴＵ−Ｔ勧告Ｇ．８２６２において、同期イーサネットにおけるタイミング条件が規格化された。
【０００６】
ここで、ＧＦＰフレームは、非同期網での使用が前提となっており、引用文献１に記載の通信装置では、マッピングの際に装置独立のクロックで送信しているため、光伝送網をクロックパスとして使用することができないという問題があった。
【０００７】
また、ギガビットイーサネット信号を光伝送網を使用して伝送する際に、上述したようにギガビットイーサネット信号と同一のクロック周波数を使用した場合には、ギガビットイーサネット信号を多重化することができないため、効率的な伝送を行うことができないという問題があった。
【０００８】
さらに、ギガビットイーサネット信号の信号レートは、光伝送網の標準規格であるＯＴＮ／ＳＯＮＥＴ／ＳＤＨ信号の信号レートと異なるため、光伝送網を用いてギガビットイーサネット信号を伝送することができないという問題があった。
【０００９】
そこで、本発明は、上記従来の技術における問題点に鑑みてなされたものであって、光伝送網を用いてギガビットイーサネット信号を伝送するとともに、ギガビットイーサネット信号を効率的に伝送することが可能なデータ伝送システム及び光伝送装置を提供することを目的とする。
【課題を解決するための手段】
【００１０】
上記目的を達成するため、本発明は、センタ局から出力された信号及びクロックを光伝送網を介して基地局へ伝送するデータ伝送システムであって、第１の信号を第１のクロックで送信するセンタ局と、前記センタ局から送信された前記第１の信号を第２の信号に変換する第１の変換部と、前記第１の信号から、該第１の信号のクロックである第１のクロックを抽出するクロック抽出部と、抽出された前記第１のクロックに基づき、該第１のクロックに対して所定の分周比を有する第１の分周クロックを生成する第１のパルス生成部と、前記第２の信号のクロックである第２のクロックを生成するクロック生成部と、生成された前記第２のクロックに基づき、該第２のクロックに対して所定の分周比を有する第２の分周クロックを生成する第２のパルス生成部と、前記第１の分周クロック及び前記第２の分周クロックの位相を比較し、位相差情報を生成する位相比較部と、前記位相差情報及び前記第２の分周クロックを前記第２の信号に付加し、該第２の信号を前記第２のクロックで光伝送網を介して外部に送信する第１の送信部とを備える第１の光伝送装置と、前記第１の光伝送装置から送信された前記第２の信号を前記第１の信号に変換する第２の変換部と、前記第２の信号から、前記第２のクロック、前記位相差情報及び前記第２の分周クロックを抽出する抽出部と、抽出された前記第２のクロック、前記位相差情報及び前記第２の分周クロックに基づき、前記第１の分周クロックを再生するパルス再生部と、再生された前記第１の分周クロックに基づき、前記第１のクロックを再生するクロック再生部と、前記第１の信号を前記第１のクロックで外部に送信する第２の送信部とを備える第２の光伝送装置と、前記第２の光伝送装置から送信された前記第１の信号を受信する基地局とを備えることを特徴とする。
【００１１】
そして、本発明によれば、第１の光伝送装置において、第１の信号を第２の信号に変換するとともに、位相差情報及び第２の分周クロックを第２の信号に付加し、光伝送網を介して第２の信号を第２のクロックで第２の光伝送装置に送信し、第２の光伝送装置において、第２の信号を第１の信号に変換するとともに、第２のクロック、位相差情報及び第２の分周クロックに基づき第１のクロックを再生し、第１の信号を第１のクロックで送信するため、光伝送網を用いてデータを伝送することが可能になる。
【００１２】
上記データ伝送システムにおいて、前記位相差情報は、前記第１の分周クロックの所定のパルスと前記第２の分周クロックの所定のパルスとの間の前記第２のクロックのクロック数をカウントした値とすることができる。
【００１３】
上記データ伝送システムにおいて、前記第１のパルス生成部は、前記第１のクロックの所定クロック周期毎にパルスを発生させることにより前記第１の分周クロックを生成し、前記第２のパルス生成部は、前記第２のクロックの所定クロック周期毎にパルスを発生させることにより前記第２の分周クロックを生成することができる。
【００１４】
上記データ伝送システムにおいて、前記パルス再生部は、前記第２の分周クロックの所定のパルスが出力されたタイミングから、前記位相差情報が示す値だけ前記第２のクロックをカウントしたタイミングでパルスを発生させることにより、前記第１の分周クロックを再生することができる。
【００１５】
上記データ伝送システムにおいて、前記クロック再生部は、前記第１の分周クロックを基準位相として、パルス間に所定数のクロックを発生させることにより前記第１のクロックを再生することができる。
【００１６】
上記データ伝送システムにおいて、前記クロック再生部は、ＰＬＬを駆動させることにより、前記パルス間に所定数のクロックを発生させることができる。
【００１７】
上記データ伝送システムにおいて、前記第１の光伝送装置は、複数の第１の信号が入力され、前記第１の変換部は、入力された前記複数の第１の信号を多重化して前記第２の信号に変換することができる。そして、本発明によれば、複数の第１の信号を多重化して第２の信号に変換するため、データを効率的に伝送することが可能になる。
【００１８】
また、本発明は、光伝送装置であって、外部から送信された第１の信号を第２の信号に変換する変換部と、前記第１の信号から、該第１の信号のクロックである第１のクロックを抽出するクロック抽出部と、抽出された前記第１のクロックに基づき、該第１のクロックに対して所定の分周比を有する第１の分周クロックを生成する第１のパルス生成部と、前記第２の信号のクロックである第２のクロックを生成するクロック生成部と、生成された前記第２のクロックに基づき、該第２のクロックに対して所定の分周比を有する第２の分周クロックを生成する第２のパルス生成部と、前記第１の分周クロック及び前記第２の分周クロックの位相を比較し、位相差情報を生成する位相比較部と、前記位相差情報及び前記第２の分周クロックを前記第２の信号に付加し、該第２の信号を前記第２のクロックで光伝送網を介して外部に送信する送信部とを備えることを特徴とする。本発明によれば、前記発明と同様に、光伝送網を用いてデータを伝送することが可能になる。
【００１９】
また、本発明は、光伝送装置であって、外部から光伝送網を介して送信された第２の信号を第１の信号に変換する変換部と、前記第２の信号から、該第２の信号のクロックである第２のクロックと、該第２のクロックに対して所定の分周比を有する第２の分周クロックと、該第２の分周クロック及び前記第１の信号のクロックである第１のクロックに対して所定の分周比を有する第１の分周クロックの位相を比較した結果を示す位相差情報とを抽出する抽出部と、抽出された前記第２のクロック、前記位相差情報及び前記第２の分周クロックに基づき、前記第１の分周クロックを再生するパルス再生部と、再生された前記第１の分周クロックに基づき、前記第１のクロックを再生するクロック再生部と、前記第１の信号を前記第１のクロックで外部に送信する送信部とを備えることを特徴とする。本発明によれば、前記発明と同様に、光伝送網を用いてデータを伝送することが可能になる。
【発明の効果】
【００２０】
以上のように、本発明によれば、光伝送網を用いてギガビットイーサネット信号を伝送するとともに、ギガビットイーサネット信号を効率的に伝送することが可能になる。
【図面の簡単な説明】
【００２１】
【図１】本発明にかかるデータ伝送システムの一実施の形態を示すブロック図である。
【図２】マスタ側光伝送装置及びスレーブ側光伝送装置における、クロックの伝送に関連する構成の一例を示すブロック図である。
【図３】マスタ側光伝送装置の構成の一例を示すブロック図である。
【図４】スレーブ側光伝送装置の構成の一例を示すブロック図である。
【図５】ギガビットイーサネット信号及びＯＴＮ信号のクロックの関係について説明するための略線図である。
【図６】ＯＴＮ信号及びギガビットイーサネット信号のクロックの関係について説明するための略線図である。
【発明を実施するための形態】
【００２２】
次に、本発明を実施するための形態について、図面を参照しながら詳細に説明する。
【００２３】
図１は、本発明にかかるデータ伝送システムの一実施の形態を示し、このデータ伝送システム１は、高精度のクロック源を有するセンタ局４と、センタ局４からの入力信号のクロック情報を抽出して出力するマスタ側光伝送装置２と、光伝送網６を介してマスタ側光伝送装置２から入力された信号のクロック情報から高精度のクロックを再生するスレーブ側光伝送装置３と、スレーブ側光伝送装置３からの入力信号のクロックに基づき動作し、高精度のクロックを必要とする基地局５とから構成される。
【００２４】
センタ局４及びマスタ側光伝送装置２、並びにスレーブ側光伝送装置３及び基地局５は、イーサネット回線で接続され、マスタ側光伝送装置２及びスレーブ側光伝送装置３は、光伝送網６を介して光回線で接続される。これらのイーサネット回線及び光回線により、データ伝送システム１のクロックパスが形成され、センタ局４から出力される高精度のクロックを基地局５に伝送する。
【００２５】
図２は、図１に示すマスタ側光伝送装置２及びスレーブ側光伝送装置３の構成の一例を示す。尚、図２に示す例では、クロックの伝送に関連する構成についてのみ図示し、その他の構成については省略する。
【００２６】
マスタ側光伝送装置２は、パルス生成ブロック１１、位相比較ブロック１２及び送信ブロック１３を備える。パルス生成ブロック１１は、マスタ側光伝送装置２に入力されたギガビットイーサネット信号からクロック成分であるギガビットイーサネットクロックを抽出し、抽出されたギガビットイーサネットクロックに基づき、ギガビットイーサネットクロックに対して所定の分周比となるギガビットイーサネット位相パルスを生成する。
【００２７】
位相比較ブロック１２は、パルス生成ブロック１１で生成されたギガビットイーサネット位相パルスと、後述するＯＴＮ（Optical Transport Network）信号のクロックに基づき生成されたＯＴＮフレームパルスとを比較し、位相比較結果を出力する。送信ブロック１３は、位相比較ブロック１２から出力された位相比較結果をＯＴＮ信号に付加して送信する。
【００２８】
また、スレーブ側光伝送装置３は、パルス再生ブロック１４、クロック再生ブロック１５及び送信ブロック１６を備える。パルス再生ブロック１４は、マスタ側光伝送装置２から送信されたＯＴＮ信号から抽出された位相比較結果に基づき、ギガビットイーサネット位相パルスを再生する。このギガビットイーサネット位相パルスは、パルス生成ブロック１１から出力されるギガビットイーサネット位相パルスと同一のパルスとなる。
【００２９】
クロック再生ブロック１５は、例えばＰＬＬ（Phase Locked Loop）を動作させ、再生されたギガビットイーサネット位相パルスに基づきギガビットイーサネットクロックを再生する。このギガビットイーサネットクロックは、パルス生成ブロック１１で抽出されたギガビットイーサネットクロックと同一周波数のクロックとなる。送信ブロック１６は、クロック再生ブロック１５で生成されたギガビットイーサネットクロックでギガビットイーサネット信号を送信する。
【００３０】
図３は、マスタ側光伝送装置２の構成の一例を示す。マスタ側光伝送装置２は、複数のチャンネルの各々に入力されたギガビットイーサネット信号ａ１及びａ２を所定の要領で多重化し、図１に示す光伝送網６を介して送信するのに適した信号であるＯＴＮ信号にマッピングして出力するように構成され、信号処理部２０Ａ、２０Ｂ、・・・、ＧＦＰ（Generic Framing Procedure）多重化部２７、ＯＴＮフレーム生成部２８及びＯＴＮ信号送信部２９を備える。また、信号処理部２０Ａ、２０Ｂ、・・・は、クロック抽出部２１、パルス生成部２２、ＧＦＰフレームマッピング部２３及び位相比較部２４を備える。
【００３１】
尚、ここでは、２つのチャンネルＡ及びチャンネルＢに入力されるギガビットイーサネット信号に基づきＯＴＮ信号を送信する場合について説明する。また、チャンネルＡ及びチャンネルＢは、同一の構成を有するため、以下の説明では、チャンネルＡに関連する構成についてのみ説明し、チャンネルＢに関連する構成については説明を省略する。
【００３２】
クロック抽出部２１は、受信したギガビットイーサネット信号ａ１から、この信号のクロック成分を示すギガビットイーサネットクロックｂを抽出する。パルス生成部２２は、クロック抽出部２１で抽出されたギガビットイーサネットクロックｂのクロック数をカウントし、所定のクロック周期毎にパルスを出力することによりギガビットイーサネット位相パルスｃを生成する。このクロック抽出部２１及びパルス生成部２２が、図２に示すパルス生成ブロック１１に対応する。ＧＦＰフレームマッピング部２３は、クロック抽出部２１から出力されたギガビットイーサネット信号ａ１を、所定の要領でＧＦＰフレームｇ１にマッピングする。
【００３３】
ＯＴＮクロック生成部２５は、オシレータやＰＬＬを用いて、後述するＯＴＮ信号ｊと同一のビットレート又は分周されたクロックであるＯＴＮクロックｄを生成する。ＯＴＮフレームパルス生成部２６は、ＯＴＮクロック生成部２５で生成されたＯＴＮクロックｄのクロック数をカウントし、所定のクロック周期毎にパルスを出力することによりＯＴＮフレームパルスｅを生成する。
【００３４】
位相比較部２４は、図２に示す位相比較ブロック１２に対応し、パルス生成部２２で生成されたギガビットイーサネット位相パルスｃと、ＯＴＮフレームパルス生成部２６で生成されたＯＴＮフレームパルスｅとの位相を比較して得られる位相比較結果をタイムスタンプｆとして出力する。位相比較結果は、例えば、ＯＴＮクロックｄのカウント数で示すことができる。
【００３５】
ＧＦＰ多重化部２７は、チャンネルＡ及びチャンネルＢのＧＦＰフレームマッピング部２３から出力されたＧＦＰフレームｇ１及びｇ２を所定の要領で多重化し、ＧＦＰ信号ｈを生成する。ＯＴＮフレーム生成部２８は、ＧＦＰ多重化部２７から出力されたＧＦＰ信号ｈをＯＴＮフレームｉにマッピングするとともに、位相比較部２４から出力されたタイムスタンプｆをＯＴＮフレームｉのオーバヘッドに挿入する。ＯＴＮ信号送信部２９は、ＯＴＮフレームパルス生成部２６から出力されたＯＴＮフレームパルスｅを、ＯＴＮフレーム生成部２８から出力されたＯＴＮフレームｉのオーバヘッドに挿入し、ＯＴＮ信号ｊをＯＴＮクロックｄで出力する。このＯＴＮフレーム生成部２８及びＯＴＮ信号送信部２９が、図２に示す送信ブロック１３に対応する。
【００３６】
図４は、スレーブ側光伝送装置３の構成の一例を示す。スレーブ側光伝送装置３は、入力されたＯＴＮ信号ｊに基づき、多重化された複数のチャンネルのギガビットイーサネット信号を分離して出力するように構成され、クロック抽出部３１、ＯＴＮフレーム終端部３２、ＧＦＰ分離部３３及び信号処理部３０Ａ、３０Ｂ、・・・を備える。また、信号処理部３０Ａ、３０Ｂ、・・・は、パルス再生部３４、クロック再生部３５、ＧＦＰフレームデマッピング部３６及び送信部３７を備える。
【００３７】
尚、この例では、図３に示す例と同様に、複数のチャンネルがチャンネルＡ及びチャンネルＢからなる２チャンネルの場合について説明し、チャンネルＡ及びチャンネルＢは同一の構成を有するため、チャンネルＡに関連する構成についてのみ説明する。
【００３８】
クロック抽出部３１は、入力されたＯＴＮ信号ｊから、この信号のクロック成分を示すＯＴＮクロックｋを抽出する。ＯＴＮフレーム終端部３２は、ＯＴＮ信号ｊのオーバヘッドからタイムスタンプｌ及びＯＴＮフレームパルスｍを抽出する。また、ＯＴＮフレーム終端部３２は、ＯＴＮ信号ｊを終端し、所定の要領で複数のチャンネルのＧＦＰフレームが多重化されたＧＦＰ信号ｎに変換（デマッピング）する。ＧＦＰ分離部３３は、ＯＴＮフレーム終端部３２から出力されたＧＦＰ信号ｎを、チャンネルＡ及びチャンネルＢのＧＦＰフレームｑ１及びｑ２に分離する。
【００３９】
パルス再生部３４は、図２に示すパルス再生ブロック１４に対応し、クロック抽出部３１から出力されたＯＴＮクロックｋと、ＯＴＮフレーム終端部３２から出力されたタイムスタンプｌ及びＯＴＮフレームパルスｍとに基づき、ギガビットイーサネット位相パルスｏを再生する。クロック再生部３５は、図２に示すクロック再生ブロック１５に対応し、パルス再生部３４から出力されたギガビットイーサネット位相パルスｏを基準位相としてＰＬＬを駆動し、ギガビットイーサネットクロックｐを再生する。
【００４０】
ＧＦＰフレームデマッピング部３６は、ＧＦＰ分離部３３から出力されたＧＦＰフレームｑ１を、所定の要領でギガビットイーサネット信号ｒ１にデマッピングする。送信部３７は、図２に示す送信ブロック１６に対応し、ＧＦＰフレームデマッピング部３６から出力されたギガビットイーサネット信号ｒ１を、クロック再生部３５から出力されたギガビットイーサネットクロックｐで出力する。
【００４１】
次に、上記構成を有するマスタ側光伝送装置２の動作について、図３を参照しながら説明する。
【００４２】
クロック抽出部２１は、入力されたギガビットイーサネット信号ａ１からクロック成分を示すギガビットイーサネットクロックｂを抽出する。抽出されたギガビットイーサネットクロックｂは、パルス生成部２２に供給され、クロック抽出部２１に入力されたギガビットイーサネット信号ａ１は、そのままＧＦＰフレームマッピング部２３に供給される。
【００４３】
パルス生成部２２は、クロック抽出部２１から供給されたギガビットイーサネットクロックｂのクロック数をカウントし、所定のクロック周期毎にパルスを出力することによりギガビットイーサネット位相パルスｃを生成する。生成されたギガビットイーサネット位相パルスｃは、位相比較部２４に供給される。ここで、クロック抽出部２１で抽出されたギガビットイーサネットクロックｂは、ギガビットイーサネット信号のビットレート又は分周されたクロックであるため、パルス生成部２２で生成されたギガビットイーサネット位相パルスｃは、ギガビットイーサネットクロックに対して所定の分周比を有する。
【００４４】
ＯＴＮクロック生成部２５は、ＰＬＬ等を用いて、ＯＴＮ信号送信部２９から出力されるＯＴＮ信号ｊと同一のビットレート又は分周されたクロックであるＯＴＮクロックｄを生成する。生成されたＯＴＮクロックｄは、ＯＴＮフレームパルス生成部２６に供給される。ＯＴＮフレームパルス生成部２６は、ＯＴＮクロック生成部２５から供給されたＯＴＮクロックｄのクロック数をカウントし、所定のクロック周期毎にパルスを出力することにより、例えば１２５μｓｅｃ周期のＯＴＮフレームパルスｅを生成する。生成されたＯＴＮフレームパルスｅは、ＯＴＮ信号送信部２９から出力されるＯＴＮ信号ｊのフレーム位相を示し、位相比較部２４及びＯＴＮ信号送信部２９に供給される。
【００４５】
位相比較部２４は、パルス生成部２２から供給されたギガビットイーサネット位相パルスｃと、ＯＴＮフレームパルス生成部２６から供給されたＯＴＮフレームパルスｅとの位相を比較し、位相差をＯＴＮ信号ｊのクロック数で示すタイムスタンプｆとして出力する。このタイムスタンプｆは、ＯＴＮフレーム生成部２８に供給される。
【００４６】
ＧＦＰフレームマッピング部２３は、クロック抽出部２１から供給されたギガビットイーサネット信号ａ１を、所定の要領でＧＦＰフレームｇ１にマッピングする。マッピングされたＧＦＰフレームｇ１は、ＧＦＰ多重化部２７に供給される。また、チャンネルＢについても、同様にして、ギガビットイーサネット信号ａ２をＧＦＰフレームｇ２にマッピングする。マッピングされたＧＦＰフレームｇ２は、ＧＦＰ多重化部２７に供給される。
【００４７】
ＧＦＰ多重化部２７は、各チャンネルＡ及びチャンネルＢのＧＦＰフレームマッピング部２３から供給されたＧＦＰフレームｇ１及びｇ２を所定の要領で多重化し、ＧＦＰ信号ｈを生成する。生成されたＧＦＰ信号ｈは、ＯＴＮフレーム生成部２８に供給される。
【００４８】
ＯＴＮフレーム生成部２８は、ＧＦＰ多重化部２７から供給されたＧＦＰ信号ｈをＯＴＮフレームｉにマッピングするとともに、位相比較部２４から供給されたタイムスタンプｆをＯＴＮフレームｉのオーバヘッドに挿入する。マッピングされたＯＴＮフレームｉは、ＯＴＮ信号送信部２９に供給される。ＯＴＮ信号送信部２９は、ＯＴＮフレームパルス生成部２６から供給されたＯＴＮフレームパルスｅを、ＯＴＮフレーム生成部２８から供給されたＯＴＮフレームｉのオーバヘッドに挿入し、ＯＴＮ信号ｊを生成する。生成されたＯＴＮ信号ｊは、ＯＴＮクロックｄで外部に出力される。
【００４９】
次に、スレーブ側光伝送装置３の動作について、図４を参照しながら説明する。
【００５０】
クロック抽出部３１は、入力されたＯＴＮ信号ｊから、この信号のクロック成分を示すＯＴＮクロックｋを抽出する。抽出されたＯＴＮクロックｋは、ＯＴＮ信号ｊのビットレート又は分周されたクロックであり、図３のＯＴＮクロック生成部２５から出力されたＯＴＮクロックｄと同一周波数のクロックである。このＯＴＮクロックｋは、パルス再生部３４に供給される。また、クロック抽出部３１に入力されたＯＴＮ信号ｊは、そのままＯＴＮフレーム終端部３２に供給される。
【００５１】
ＯＴＮフレーム終端部３２は、クロック抽出部３１から供給されたＯＴＮ信号ｊのオーバヘッドをモニタし、タイムスタンプｌ及びＯＴＮフレームパルスｍを抽出する。抽出されたタイムスタンプｌ及びＯＴＮフレームパルスｍは、パルス再生部３４に供給される。ここで、タイムスタンプｌは、図３の位相比較部２４で出力されたタイムスタンプｆと同一のものであり、ＯＴＮフレームパルスｍは、図３のＯＴＮフレームパルス生成部２６で生成されたＯＴＮフレームパルスｅと同一周期のパルスである。
【００５２】
また、ＯＴＮフレーム終端部３２は、ＯＴＮ信号ｊを終端し、所定の要領で複数のチャンネルのＧＦＰフレームが多重化されたＧＦＰ信号ｎにデマッピングする。デマッピングされたＧＦＰ信号ｎは、ＧＦＰ分離部３３に供給される。
【００５３】
パルス再生部３４は、クロック抽出部３１から供給されたＯＴＮクロックｋと、ＯＴＮフレーム終端部３２から供給されたタイムスタンプｌ及びＯＴＮフレームパルスｍとに基づき、ギガビットイーサネット位相パルスｏを再生する。ここで、再生されたギガビットイーサネット位相パルスｏは、ジッタ成分が重畳された状態であるが、図３のパルス生成部２２から出力されたギガビットイーサネット位相パルスｃと同一周期のパルスである。このギガビットイーサネット位相パルスｏは、クロック再生部３５に供給される。
【００５４】
クロック再生部３５は、パルス再生部３４から供給されたギガビットイーサネット位相パルスｏを基準位相として、例えば１．２５ＧＨｚのＰＬＬを駆動し、ギガビットイーサネット位相パルスｏに重畳されたジッタ成分を除去するするとともに、ギガビットイーサネットクロックｐを再生する。再生されたギガビットイーサネットクロックｐは、図３のクロック抽出部２１から出力されたギガビットイーサネットクロックｂと同一周波数のクロックであり、送信部３７に供給される。
【００５５】
ＧＦＰ分離部３３は、ＯＴＮフレーム終端部３２から供給されたＧＦＰ信号ｎを、チャンネルＡ及びチャンネルＢのＧＦＰフレームｑ１及びｑ２に分離する。分離されたＧＦＰフレームｑ１及びｑ２は、対応する各々のチャンネルＡ及びチャンネルＢのＧＦＰフレームデマッピング部３６に供給される。ＧＦＰフレームデマッピング部３６は、ＧＦＰ分離部３３から供給されたＧＦＰフレームｑ１を、所定の要領でギガビットイーサネット信号ｒ１にデマッピングする。デマッピングされたギガビットイーサネット信号ｒ１は、送信部３７に供給される。送信部３７は、ＧＦＰフレームデマッピング部３６から供給されたギガビットイーサネット信号ｒ１を、クロック再生部３５から供給されたギガビットイーサネットクロックｐで出力する。
【００５６】
また、チャンネルＢについても、上述と同様に、ＧＦＰ分離部３３で分離されたＧＦＰフレームｑ２がギガビットイーサネット信号ｒ２にデマッピングされ、ギガビットイーサネットクロックｐで出力される。
【００５７】
次に、ギガビットイーサネット信号ａ１及びｒ１のクロックの関係について、図５及び図６を参照しながら説明する。
【００５８】
図５は、ギガビットイーサネット信号ａ１に基づくギガビットイーサネットクロックｂ及びギガビットイーサネット位相パルスｃと、ＯＴＮ信号ｊに基づくＯＴＮクロックｄ及びＯＴＮフレームパルスｅとにおける、パルスのタイミングの関係を示す。
【００５９】
図５に示すように、図３のクロック抽出部２１で抽出されたギガビットイーサネット信号ａ１のクロック成分であるギガビットイーサネットクロックｂに基づき、パルス生成部２２において、ギガビットイーサネットクロックｂの所定クロック周期、例えばｎクロック周期毎にパルスが出力され、ギガビットイーサネット位相パルスｃが生成される。具体的には、例えばギガビットイーサネット信号ａ１のビットレートを１．２５Ｇｂｐｓとした場合、ギガビットイーサネットクロックｂの周波数は、１．２５ＧＨｚとなり、１５００００クロック周期毎にパルスを出力してギガビットイーサネット位相パルスｃを生成した場合、ギガビットイーサネット位相パルスｃの周期は、以下の式（１）により算出される。
（１／１２５０００００００）×１５００００＝１２０μｓｅｃ  ・・・（１）
【００６０】
また、図３のＯＴＮクロック生成部２５で生成されるＯＴＮクロックｄに基づき、ＯＴＮフレームパルス生成部２６でＯＴＮクロックｄの所定クロック周期毎にパルスが出力され、ＯＴＮフレームパルスｅが生成される。
【００６１】
そして、位相比較部２４でギガビットイーサネット位相パルスｃ及びＯＴＮフレームパルスｅの位相が比較され、ＯＴＮフレームパルスｅが出力されたタイミングから、ギガビットイーサネット位相パルスｃが出力されたタイミングまでのＯＴＮクロックｄのクロック数がカウントされ、このカウント値が位相比較結果（タイムスタンプｆ）となる。具体的には、例えばＯＴＮフレームパルスｅの周期を１２５μｓｅｃとした場合、図５に示す例では、位相差がＯＴＮクロックｄの７クロック分となるため、タイムスタンプｆの値は、「７」となる。
【００６２】
図６は、ＯＴＮ信号ｊに基づくＯＴＮクロックｋ及びＯＴＮフレームパルスｍと、ギガビットイーサネット信号ｒ１に基づくギガビットイーサネット位相パルスｏ及びギガビットイーサネットクロックｐとにおける、パルスのタイミングの関係を示す。
【００６３】
図６に示すように、図４のクロック抽出部３１で抽出されたＯＴＮ信号ｊのクロック成分であるＯＴＮクロックｋと、ＯＴＮフレーム終端部３２で抽出されたタイムスタンプｌ及びＯＴＮフレームパルスｍに基づき、パルス再生部３４でギガビットイーサネット位相パルスｏが再生される。具体的には、例えば、ＯＴＮフレームパルスｍのパルスが出力されたタイミングから、タイムスタンプｌが示す値だけＯＴＮクロックｋをカウントしたタイミングでパルスを出力することにより、ギガビットイーサネット位相パルスｏが再生される。
【００６４】
そして、図４のクロック再生部３５において、ギガビットイーサネット位相パルスｏの隣り合うパルス間に、所定クロック数、例えばｎクロックのクロックを生成することにより、ギガビットイーサネットクロックｐが再生される。例えば、１．２５ＧＨｚのＰＬＬを駆動させ、ギガビットイーサネット位相パルスｏを基準位相として、ギガビットイーサネット位相パルスｏのパルス間に１５００００回だけパルスを出力させるようにＰＬＬを制御することにより、ギガビットイーサネットクロックｐが再生される。
【００６５】
尚、ギガビットイーサネット位相パルスｏは、ＯＴＮクロックｋに基づき生成するため、ＯＴＮクロックｋの１クロック分のジッタ成分が重畳されることになるが、ＰＬＬによりこのジッタ成分を除去することができる。
【００６６】
ここで、図４のクロック抽出部３１で抽出されたＯＴＮクロックｋと、図３のＯＴＮクロック生成部２５で生成されたＯＴＮクロックｄとは、同一周波数のクロックである。また、ＯＴＮフレーム終端部３２で抽出されたタイムスタンプｌと、位相比較部２４で生成されたタイムスタンプｆとは、同一の値を示すタイムスタンプである。さらに、ＯＴＮフレーム終端部３２で抽出されたＯＴＮフレームパルスｍと、ＯＴＮフレームパルス生成部２６で生成されたＯＴＮフレームパルスｅとは、同一周期のパルスである。
【００６７】
このことから、クロック再生部３５においてギガビットイーサネット位相パルスｏに基づき生成されるギガビットイーサネットクロックｐは、クロック抽出部２１で抽出されたギガビットイーサネットクロックｂと同一周波数のクロックとなり、ギガビットイーサネットクロックｂに同期したクロックとなる。
【００６８】
以上のように、本実施の形態によれば、マスタ側光伝送装置に入力されたギガビットイーサネット信号のクロック成分を、光伝送網を介して接続されるスレーブ側光伝送装置で再生するため、光伝送網を用いてギガビットイーサネット信号を伝送することができる。
【００６９】
また、ギガビットイーサネット信号を伝送する際には、複数のギガビットイーサネット信号を多重化して伝送することができるため、ギガビットイーサネット信号を効率的に伝送することができる。
【００７０】
以上、本発明の一実施の形態について説明したが、本発明は、上述した本発明の一実施の形態に限定されるものではなく、本発明の要旨を逸脱しない範囲内で様々な変形や応用が可能である。例えば、この例では、２チャンネルを多重化する場合について説明したが、これに限られず、例えば、多重化しない場合や、３チャンネル以上を多重化してもよい。
【００７１】
また、上述の例では、ギガビットイーサネット信号を伝送する場合を例にとって説明したが、本実施の形態に適用可能な信号は、ギガビットイーサネット信号に限られない。例えば、ファイバチャンネル信号やＥＳＣＯＮ（Enterprise System CONnection）信号、ＦＩＣＯＮ（FIber CONnection）信号等、ＧＦＰにマッピングできる信号であれば、どのような信号に対しても適用することができる。
【００７２】
さらに、この例では、光伝送フォーマットとして、ＯＴＮを用いた場合について説明したが、これに限られず、ＳＯＮＥＴ／ＳＤＨフレーム等、ＧＦＰフレームをマッピングでき、タイムスタンプを付加して伝送するフォーマットを適用することができる。また、ＧＦＰフレームとして、例えばＧＦＰ−Ｔ（Transparent Generic Framing Procedure）フレーム及びＧＦＰ−Ｆ（Frame-mapped Generic Framing Procedure）フレームの両フレーム方式に適用することができる。
【符号の説明】
【００７３】
１  データ伝送システム
２  マスタ側光伝送装置
３  スレーブ側光伝送装置
４  センタ局
５  基地局
６  光伝送網
１１  パルス生成ブロック
１２  位相比較ブロック
１３  送信ブロック
１４  パルス再生ブロック
１５  クロック再生ブロック
１６  送信ブロック
２０（２０Ａ、２０Ｂ）  信号処理部
２１  クロック抽出部
２２  パルス生成部
２３  ＧＦＰフレームマッピング部
２４  位相比較部
２５  ＯＴＮクロック生成部
２６  ＯＴＮフレームパルス生成部
２７  ＧＦＰ多重化部
２８  ＯＴＮフレーム生成部
２９  ＯＴＮ信号送信部
３０（３０Ａ、３０Ｂ）  信号処理部
３１  クロック抽出部
３２  ＯＴＮフレーム終端部
３３  ＧＦＰ分離部
３４  パルス再生部
３５  クロック再生部
３６  ＧＦＰフレームデマッピング部
３７  送信部
【図１】
0005833307.tif 000002
【図２】
0005833307.tif 000003
【図３】
0005833307.tif 000004
【図４】
0005833307.tif 000005
【図５】
0005833307.tif 000006
【図６】
0005833307.tif 000007